(57)【要約】【課題】赤外蛍光撮影の全期間に渡って、フォーカス、アライメントを確実に調整でき、良好な赤外蛍光像を撮影、記録することが可能な眼科撮影装置を提供する。【解決手段】赤外蛍光撮影時、アライメント並びにフォーカス調整時には、フォーカス及びアライメント指標用光源６０、７０は指標が明るくなるように点灯される。時点ｔ１２で撮影スイッチ５４が押されると、光源光量が減少し、指標は暗くなる。撮像素子３５の自動利得制御機能が有効になる後期の時点ｔ１３からは、指標が徐々に明るくなるように、指標の光源光量が制御される。赤外蛍光の前期では、指標は暗いので、画像に指標像が写るのが防止され、後期に入り指標がないとアライメントあるいはフォーカス調整が困難になると、指標が明るくなり、指標像を確認しながらアライメントあるいはフォーカス調整ができるようになり、赤外蛍光撮影の動画撮影並びに記録を安定して行うことが可能となる。【選択図】図３
2006167068.tif 000002
【特許請求の範囲】
【請求項１】
少なくとも赤外蛍光撮影モードを有し、眼底の赤外蛍光撮影が可能な眼科撮影装置であって、
赤外蛍光撮影時被検眼に投影されるフォーカス指標及び／又はアライメント指標を形成する指標光源と、
眼底の赤外蛍光像を撮影する撮像手段と、
前記撮像手段で撮影された眼底の赤外蛍光像を動画として録画する記録装置と、
赤外蛍光撮影中、赤外蛍光像を録画するときとしないときで指標光源の光量を異なった光量に制御する制御手段と、
を有することを特徴とする眼科撮影装置。
【請求項２】
前記撮像手段は自動利得制御機能を有し、前記制御手段は自動利得制御が機能しても、録画中の指標光源の光量を一定に制御することを特徴とする請求項１に記載の眼科撮影装置。
【請求項３】
前記撮像手段は自動利得制御機能を有し、前記制御手段は自動利得制御が機能すると、録画中の指標光源の光量を変化させることを特徴とする請求項１に記載の眼科撮影装置。
【請求項４】
前記制御手段は、赤外蛍光撮影が開始されてから所定の時間が経過した後は、録画中の指標光源の光量を時間の経過とともに変化させることを特徴とする請求項１から３のいずれか１項に記載の眼科撮影装置。
【請求項５】
前記指標は、録画中では録画しないときより暗くなるように指標光源の光量が制御されることを特徴とする請求項１から４のいずれか１項に記載の眼科撮影装置。
【請求項６】
前記指標は、時間の経過につれて、徐々に明るくなることを特徴とする請求項４に記載の眼科撮影装置。
【発明の詳細な説明】
【技術分野】
【０００１】
本発明は、眼科撮影装置、更に詳細には、眼底のカラー撮影（無散瞳、散瞳撮影）、可視蛍光像を撮影する可視蛍光撮影、赤外蛍光像を撮影する赤外蛍光撮影が可能な眼科撮影装置に関する。
【背景技術】
【０００２】
従来から、通常の眼底のカラー撮影（無散瞳、散瞳撮影）を行うほかに、可視蛍光像を撮影する可視蛍光撮影、赤外蛍光像を撮像する赤外蛍光撮影が可能な眼底カメラが知られている。これら種々の撮影モードでは、眼底観察時に、アライメントやフォーカス調整が行われた後、撮影スイッチが操作され、眼底像が撮影される。
【０００３】
撮影に先立つアライメントやフォーカス調整では、アライメント指標やフォーカス指標が被検眼に投影され、その際、眼底からの像を受像する光電変換器の状況によって指標の光量が制御されたり（特許文献１）、電子カメラのゲインに応じて指標の明るさが制御されたり（特許文献２）、蛍光時に撮影に応じて指標を遮光したり（特許文献３）、撮影時に指標を遮光したり（特許文献４）、あるいは赤外蛍光撮影時時間の経過によって観察光の波長を変えることが行われている（特許文献５）。
【特許文献１】特開昭６２−４１６３７号公報
【特許文献２】特開平９−６６０３２号公報
【特許文献３】特開平１１−１９７１１３号公報
【特許文献４】実開平５−１０２号公報
【特許文献５】特開２００４−８１２５５号公報
【発明の開示】
【発明が解決しようとする課題】
【０００４】
しかしながら、観察用のＣＣＤと動画撮影用のＣＣＤを共通にして赤外蛍光撮影を行う眼底カメラでは、観察画像と記録画像が共通になるため、診断に不要なフォーカス指標、アライメント指標が同時に記録されてしまうという問題がある。
【０００５】
これを避けるため、赤外蛍光撮影時に指標を使用しないようにすると、目視にてフォーカス、アライメントを調整する必要がある。しかし赤外蛍光光量が充分な開始初期は目視で調整できても、赤外蛍光光量が不足する後期には目視でのフォーカス、アライメントの調整が困難となる。従って、前期から後期への移行時に検者の判断で指標の点灯、消灯を切り替える必要性がでてくる。そのため、動画記録中に指標の点灯、消灯を切り替えるという作業が検者の負担になっていた。
【０００６】
従って、本発明は、このような問題点を解決するためになされたもので、赤外蛍光撮影の全期間に渡って、フォーカス、アライメントを確実に調整でき、良好な赤外蛍光像を撮影、記録することが可能な眼科撮影装置を提供することをその課題とする。
【課題を解決するための手段】
【０００７】
本発明は、
少なくとも赤外蛍光撮影モードを有し、眼底の赤外蛍光撮影が可能な眼科撮影装置であって、
赤外蛍光撮影時被検眼に投影されるフォーカス指標及び／又はアライメント指標を形成する指標光源と、
眼底の赤外蛍光像を撮影する撮像手段と、
前記撮像手段で撮影された眼底の赤外蛍光像を動画として録画する記録装置と、
赤外蛍光撮影中、赤外蛍光像を録画するときとしないときで指標光源の光量を異なった光量に制御する制御手段と、
を有することを特徴とする。
【発明の効果】
【０００８】
本発明では、赤外蛍光像を動画として記録するときには、診断に不要なフォーカス指標、アライメント指標を暗くできるので、指標が記録用画像に実質写らないようにできる（請求項１）。
【０００９】
また、本発明では、赤外蛍光の後期になり、赤外蛍光光量が不足するときには、撮像手段の自動利得制御機能が有効となって、あるいは録画中の指標光源の光量が増量されるので、指標が明るくなり、指標像を確認しながらアライメントあるいはフォーカス調整ができるようになり、赤外蛍光撮影の動画撮影並びに記録を安定して行うことが可能となる（請求項２〜６）。
【発明を実施するための最良の形態】
【００１０】
本発明は、眼底の赤外蛍光像を撮影する赤外蛍光撮影が可能な眼底カメラであって、赤外蛍光像を動画として取り込むときは、フォーカス指標、アライメント指標を暗くして指標像が記録されないようにするとともに、赤外蛍光の後期になり、赤外蛍光光量が不足するときには、画面上の指標が明るくなるようにし、アライメントあるいはフォーカス調整を安定して行うことができるようにしたもので、以下に、図面に示す実施例に基づいて本発明を詳細に説明する。
【実施例】
【００１１】
＜眼科撮影装置の構成＞
図１には、本発明の眼科撮影装置（眼底カメラ）の実施例が図示されており、ハロゲンランプなどの観察用光源１からの光束は、凹面鏡２で集光されたあと、撮影光源であるストロボ３、コンデンサーレンズ４を経てミラー５で反射された後、リレーレンズ２０、２１を通過して穴あき全反射ミラー２２で反射され、この全反射ミラー２２で反射された光束は対物レンズ２３により被検眼Ｅの瞳Ｅｐで結像された後、眼底Ｅｒに入射する。
【００１２】
この眼底照明光学系の光路には、無散瞳時に、赤外透過フィルタ６が観察用光源１の後に挿入され、また照明光学系には、標準リングスリット１１、小瞳孔用リングスリット１２、蛍光用リングスリット１３を切り替えることができるリングスリット切替手段１０が設けられる。標準リングスリット１１は、通常使用されるリングスリットで、小瞳孔用リングスリット１２は、被検者の散瞳状態が十分ではないとき、あるいは被検者が子供のような、いわゆる小瞳孔に対して使用され、蛍光用リングスリット１３は、可視蛍光あるいは赤外蛍光撮影のときに用いられるもので、照明光を多く入射させるために使用される。これらのリングスリットは、ほぼ被検眼Ｅの瞳Ｅｐの位置に結像され、リング状の開口部を介して照明光が入射され、それにより眼底が均一に照明される。
【００１３】
また、リングスリット切替手段１０の背後には、スルーフィルタ１６、４５０ｎｍから５２０ｎｍの青色光束を通過させる可視蛍光エキサイタフィルタ１７、７００ｎｍから８００ｎｍの赤外光を通過させる赤外蛍光エキサイタフィルタ１８を切り替える照明用フィルタ切替手段１５が配置される。スルーフィルタ１６が光路に挿入されると、すべての光束を通過させることができる。可視蛍光エキサイタフィルタ１７は、可視蛍光撮影時に挿入され、また赤外蛍光エキサイタフィルタ１８は、赤外蛍光撮影時に光路に挿入され、赤外域のみの光を透過させる。
【００１４】
被検眼Ｅの眼底Ｅｒからの反射光は、再び瞳Ｅｐの中心部を通過して対物レンズ２３を介して受光され、穴あき全反射ミラー２２の穴を通過し、撮影光学系の光路に配置された撮影絞り２４、ハーフミラー７４、フォーカスレンズ２５、２６、結像レンズ２７を通過してリターンミラー３０に入射する。結像レンズ２７は、倍率の異なる結像レンズ２８と交換できこれにより変倍機構を構成している。また、この撮影光路でハーフミラー７４とフォーカスレンズ２５の間に、可視蛍光撮影時、眼底からの可視蛍光を透過させるために可視蛍光バリアフィルタ４２が挿入できるようになっている。
【００１５】
リターンミラー３０で反射された眼底からの光束は、リターンミラー３１で反射され肉眼観察光学系を構成する接眼レンズ（ファインダ）３２に入射するので、検者は接眼レンズ３２を介して眼底像を観察することができる。また、赤外透過フィルタ６を挿入し、リターンミラー３１が跳ね上がって光路より離脱すると、眼底からの光束はリターンミラー３３により反射されて赤外光用観察光学系に入射する。この赤外光用観察光学系は、赤外光に感度を有する撮像手段としての赤外ＣＣＤ３５を有し、これにより撮像された赤外眼底像は、切替回路３９を介してモニタ４０に表示される。この赤外ＣＣＤ３５は、自動利得制御機能（ＡＧＣ）を備えており、撮影対象が暗くなると、そのゲインが増大し、感度が増大する。
【００１６】
赤外ＣＣＤ３５は、眼底観察中の画像を撮像するので、モニタ４０には、眼底観察中に撮像される眼底の赤外動画像が表示され、検者は眼底像をモニタ４０で観察しながら、アライメントやフォーカス調整を行うことができる。また、赤外ＣＣＤ３５は、後述するように、赤外蛍光撮影時、眼底の赤外蛍光像を動画撮影するためにも用いられる。
【００１７】
図１の構成では、アライメントを行うために、アライメント指標光源６０と、投影レンズ６１並びに指標を穴あき全反射ミラー２２に導くオプティカルファイバー６２が設けられる。アライメント指標光源６０は、赤色の可視光を発光する赤色ＬＥＤと赤外光を発光する赤外光ＬＥＤを同一位置に配置した２色ＬＥＤからなり、赤外蛍光撮影のときは赤外光ＬＥＤを点灯し、その他の撮影モードのときは、赤色ＬＥＤを点灯させる。赤外ＣＣＤ３５を使用して観察するとき、アライメント光源として赤外光源を使用すると被検者を縮瞳させてしまう心配が無く効率も良いが、波長により結像点が変わってしまうため、赤外蛍光撮影以外のモードのときは、赤色ＬＥＤを使用する。被検者側から見ると赤外と違い多少なりとも赤く見えるので縮瞳させてしまうデメリットがあるので、縮瞳を防ぐために、赤色ＬＥＤを点灯するときは減光して使用する。
【００１８】
このように、アライメント指標光源６０の点灯により形成される赤外光ないし赤色の可視光の指標は、レンズ６１、オプティカルファイバー６２を介して前眼部に投影される。
【００１９】
また、フォーカス調整を行うために、赤外光を発光する赤外光ＬＥＤと赤色の可視光を発光する赤色ＬＥＤを別個に使用したフォーカス指標光源７０が設けられ、このフォーカス指標光源７０からのフォーカス指標は、レンズ７１、ミラー７２、レンズ７３、ハーフミラー７４を介して眼底に投影され、フォーカス調整に使用される。フォーカス指標光源７０に関しては、赤色ＬＥＤと赤外光ＬＥＤの２個の別個を用い、それぞれ異なる光学系で、指標の結像点を調整できるため、赤外蛍光撮影モードの時は、赤外光ＬＥＤを点灯させ、それ以外の撮影モードでは、赤色ＬＥＤを点灯させる。なお、図１では、フォーカス指標投影系は、例えば、フォーカス指標光源７０に赤色ＬＥＤを用いたものが図示されており、図１には、図示されていないが、フォーカス指標光源７０に赤外光ＬＥＤを用いた場合の異なる光学系が存在する。
【００２０】
また、リターンミラー３１とリターンミラー３３間の光路には、赤外蛍光撮影時、８２０ｎｍから９００ｎｍの赤外光を透過させる赤外蛍光バリアフィルタ４３が挿入できるようになっている。
【００２１】
リターンミラー３３が跳ね上がって光路から離脱すると、眼底からの光束は、ダイクロイックミラー３４に入射し、この光学素子により可視光と赤外光が分離される。可視光はダイクロイックミラー３４で反射されて可視光に感度を有する撮像手段としてのカラーＣＣＤ３６に入射し、一方赤外光は、ダイクロイックミラー３４を透過して赤外光に感度を有する撮像手段としての赤外ＣＣＤ３７に入射する。カラーＣＣＤ３６で撮像された眼底像は、ダイクロイックミラー３４で反射された像であるので、赤外ＣＣＤ３７で撮像された眼底の反転像となっている。従って、画像反転回路３８を設け、この画像反転回路３８により、カラーＣＣＤ３６と赤外ＣＣＤ３７からのいずれかの像を反転処理して観察画像と撮影画像の上下が一致するように画像処理する。
【００２２】
カラーＣＣＤ３６と赤外ＣＣＤ３７は、撮影時ストロボ３の発光により得られる眼底像を静止画として撮像するので、モニタ４０には、切替回路３９を介して眼底の静止画像が表示されるとともに、静止画が記録装置５０に記録できるようになっている。また、この記録装置５０には、赤外ＣＣＤ３５からの動画像も記録できるようになっている。
【００２３】
リターンミラー３０が跳ね上がって光路から離脱する時には、眼底画像が３５ｍｍフィルムのような写真フィルム４４に撮影できるようになっている。この写真フィルムの代わりにカラーＣＣＤ３６と同等な撮像手段を用いて眼底像を撮影することもできる。
【００２４】
また、赤外並びに可視蛍光撮影時に、蛍光剤が静注されてからの時間を計時するタイマー５１が設けられ、この時間信号がマイクロコンピュータなどから構成される制御回路（制御手段）５２に入力される。この制御回路５２には、さらに、撮影モード設定手段５３からの撮影モードを示す信号並びに撮影スイッチ５４からの信号が入力され、制御回路５２は、各入力信号に基づいて、それぞれ撮影モードに従って、以下に説明するように、リングスリット切替手段１０、照明用フィルタ切替手段１５の制御、赤外透過フィルタ６、可視蛍光バリアフィルタ４２、赤外蛍光バリアフィルタ４３の挿脱、ミラー３０、３１、３３の挿脱、ＣＣＤ３５、３６、３７の駆動、アライメント指標光源６０とフォーカス指標光源７０の光量制御、並びにストロボ３の点灯制御を行い、また変倍レンズ２７、２８を選択して変倍制御を行う。
【００２５】
このように構成された眼科撮影装置の動作を、図２を参照して説明する。本発明の眼科撮影装置では、散瞳撮影、無散瞳撮影、可視蛍光撮影、赤外蛍光撮影の各撮影モードでの撮影が可能であり、通常のカラー撮影は散瞳撮影あるいは無散瞳撮影で行われる。
【００２６】
図２において、時点ｔ１からｔ９の部分は、散瞳、無散瞳、可視蛍光並びに赤外蛍光の各撮影モードで行われる眼底の静止画撮影を示しており、時点ｔ１１〜ｔ１７の部分は、赤外蛍光撮影のときに行われる眼底の動画撮影を示している。
【００２７】
時点ｔ１でメインスイッチ（不図示）が投入されると、観察光源１が点灯するとともに、図２に示したように、アライメント指標光源６０、フォーカス指標光源７０が点灯され、赤外ＣＣＤ３５が所定のゲインで駆動される。
【００２８】
＜散瞳撮影＞
散瞳撮影の場合には、被検者に散瞳剤が点眼される。撮影モード設定手段５３により散瞳撮影が設定されると、制御回路５２は、赤外透過フィルタ６を光路から離脱させ、また、リングスリット切替手段１０を駆動して、通常の場合は標準リングスリット１１を、また小瞳孔の場合は、小瞳孔用リングスリット１２を光路に挿入する。また照明用フィルタとしてはスルーのフィルタ１６が選択されて光路に挿入され、バリアフィルタ４２、４３は蛍光撮影のためのものであるので、光路から離脱され、リターンミラー３０、３１、３３は図示の位置を占めている。
【００２９】
観察用光源１からの光束は、ミラー５で反射された後、標準リングスリット１１（あるいは小瞳孔用リングスリット１２）、スルーのフィルタ１６、リレーレンズ２０、２１を通過して穴あき全反射ミラー２２で反射されて対物レンズ２３に入り、眼底Ｅｒを照明する。被検眼Ｅの眼底Ｅｒからの反射光は、対物レンズ２３、穴あき全反射ミラー２２、撮影絞り２４、ハーフミラー７４、フォーカスレンズ２５、２６、結像レンズ２７を通過してリターンミラー３０、３１を介して接眼レンズ３２に入射する。
【００３０】
散瞳撮影のときは、アライメント指標光源６０並びにフォーカス指標光源７０は、赤色ＬＥＤが点灯されるので、検者は、ファインダで赤色のアライメント指標並びにフォーカス指標を観察しながら、アライメント、フォーカス調整を行う。
【００３１】
アライメント、フォーカス調整が完了すると、時点ｔ２で撮影スイッチ（シャッター）５４が操作され、それに連動して、アライメント指標光源６０、フォーカス指標光源７０が消灯し、続いてｔ４でストロボ３が発光する。ストロボ発光の前後ｔ３とｔ５でカラーＣＣＤ３６が駆動され、またリターンミラー３３が光路から離脱するので、眼底がカラーＣＣＤ３６により静止画として撮影される。
【００３２】
このとき、撮影スイッチ５４は押し続けているので連写が行われ、時点ｔ６で再びカラーＣＣＤ３６が駆動され、ｔ７でストロボ３が発光し、２枚目の静止画が撮影される。時点ｔ８で撮影スイッチ５３を戻すと、静止画撮影が終了し、アライメント指標光源６０、フォーカス指標光源７０が点灯して観察モードとなる。撮影された各静止画は記録装置５０に記録され、保存される。
【００３３】
なお、撮影はフィルム４４でもできるので、このときには、ミラー３０が光路から離脱される。また、接眼レンズ３２によらず、赤外観察もできるので、そのときはリターンミラー３１が光路から離脱され、眼底像が赤外ＣＣＤ３５により動画撮像され、検者はモニタ４０を介して眼底を観察し、アライメントやフォーカス調整を行うことができる。なお、観察に赤外ＣＣＤ３５を用いるときは、フォーカス指標光源７０は、赤外光ＬＥＤが点灯され、赤外光のフォーカス指標が投影される。
【００３４】
以上の散瞳撮影の場合が、図４にも要約して図示されており、リングスリットとしては、標準リングスリット１１あるいは小瞳孔用リングスリット１２が選択される。また、スルーのフィルタが選択されるので、エキサイタフィルタは「なし」となっており、バリアフィルタ４２、４３も光路から離脱しているので、同様に「なし」となっている。観察光量、撮影光量は、リングスリットに応じて調節され、標準リングスリットの場合は「０」（デフォルト値）で、一方小瞳孔用リングスリットの場合は「＋１」にして、観察、撮影が行われる。また蛍光撮影ではないので、蛍光剤を静注してからの計時を行うタイマーは「なし」となっている。また、観察手段としては、上述したようにファインダ（接眼レンズ３２）を介した肉眼観察か、あるいは赤外ＣＣＤ３５によるモニタ４０での観察が行われ、撮影手段としては、３５ｍｍフィルム４４あるいはカラーＣＣＤ３６が用いられる。また、アライメント指標光源６０、フォーカス指標光源７０は、観察時には赤色ＬＥＤが点灯され、撮影時には消灯される。なお、赤外ＣＣＤ３５で観察が行われるときは、アライメント指標光源６０の赤色ＬＥＤは減光されるので、「赤−」として図示されている。
【００３５】
＜無散瞳撮影＞
無散瞳撮影が行われる場合には、赤外透過フィルタ６が挿入され、リングスリットとして小瞳孔用リングスリット１２が選択される。またリターンミラー３１が跳ね上がって光路から離脱され、観察時には、赤外ＣＣＤ３５によるモニタ４０での観察になるところが、散瞳撮影時と相違するところである。従って、静止画の撮影も、図２に示した流れで連写が行われ、撮影された各静止画はフィルム４４にあるいは記録装置５０に記録され、保存される。また、観察手段は、図４に示したように赤外ＣＣＤ３５のみとなっており、観察時には、アライメント指標光源６０は、赤色ＬＥＤが減光して点灯されて、暗めの赤色の可視光を発光し、またフォーカス指標光源７０は、赤外光ＬＥＤが点灯して赤外光を発光する。
【００３６】
＜可視蛍光撮影＞
可視蛍光撮影のときは、リングスリットは、標準あるいは小瞳孔用リングスリット１１、１２あるいは蛍光用リングスリット１３が選択され、それに応じて観察光量、撮影光量は、「＋３」、「＋４」、「＋２」に増光される。また、照明光用フィルタとしては、可視蛍光エキサイタフィルタ１７が、撮影用フィルタとしては、可視蛍光バリアフィルタ４２が選択される。
【００３７】
観察時、赤外ＣＣＤ３５でモニタ観察するときは、赤外透過フィルタ６が挿入され、リターンミラー３１は光路から離脱される。一方、ファインダ３２で観察が行われるときは、赤外透過フィルタ６が光路から離脱され、リターンミラー３１は光路に挿入される。ファインダで観察するときは、可視蛍光エキサイタフィルタ１７を光路に挿入しておく。
【００３８】
ファインダ３２で観察を行うときは、アライメント指標光源６０並びにフォーカス指標光源７０は、図４に示したように、赤色ＬＥＤが点灯され、また赤外ＣＣＤ３５で観察するときは、アライメント指標光源６０は、赤色ＬＥＤが減光して点灯され、またフォーカス指標光源７０は赤外光ＬＥＤが点灯する。
【００３９】
アライメント、フォーカス調整が完了すると、蛍光剤が静注され、エキサイタフィルタ１７とバリアフィルタ４２が光路に挿入され、タイマー５１が計時を開始する。所定時間Ｔ１が経過すると、可視蛍光エキサイタフィルタ１７を通過した励起光により眼底に可視蛍光像が発生するので、撮影スイッチ５４が押され（図２の時点ｔ２）、ストロボ３が発光する。このときリターンミラー３０の位置に応じて、可視蛍光像が３５ｍｍフィルム４４あるいはカラーＣＣＤ３６により撮影される。撮影スイッチ５４が操作されるごとに同様な動作となり、また連写が行われる場合には、図２に示したように、撮影スイッチ５４を押し続ける。なお静止画をカラーＣＣＤ３６で撮像する場合には、リターンミラー３０を光路に挿入し、リターンミラー３１、３３を光路から離脱させるようにする。カラーＣＣＤ３６で撮影された静止画は、記録装置５０に記録され、保存される。
【００４０】
＜赤外蛍光撮影（静止画）＞
赤外蛍光撮影が行われるときは、ファインダ３２による観察ができないので、赤外ＣＣＤ３５によるモニタ観察のみとなる。モニタ観察するときには、リングスリットとしては、標準リングスリット１１あるいは蛍光用リングスリット１３が選択され、観察光量は「＋６」あるいは「＋５」に増光される。アライメント指標光源６０並びにフォーカス指標光源７０は、いずれも赤外光ＬＥＤが点灯され、赤外光を発光する。照明光用フィルタとしては、赤外蛍光用エキサイタフィルタ１８が、撮影用フィルタとしては、赤外蛍光バリアフィルタ４３が選択される。また、撮像素子としては赤外ＣＣＤ３７が用いられる。
【００４１】
時点ｔ２でアライメント、フォーカス調整が完了すると、蛍光剤が静注され、赤外蛍光バリアフィルタ４３が挿入され、タイマー５１が計時を開始する。所定時間Ｔ２が経過すると、赤外蛍光エキサイタフィルタ１８を通過した励起光により眼底に赤外蛍光像が発生するので、撮影スイッチ５４が押され、ストロボ３が発光する（時点ｔ４、ｔ７）。このとき、リターンミラー３０は、図示の位置に固定され、リターンミラー３１、３３が跳ね上がるので、赤外蛍光像がダイクロイックミラー３４を透過して赤外ＣＣＤ３７に入射し、眼底の赤外蛍光像が静止画として撮影される。この赤外蛍光像は、画像反転処理回路３８で画像の上下が反転されて切替回路３９を介してモニタ４０に静止画として表示され、また記録装置５０に静止画として記録され、保全される。
【００４２】
＜赤外蛍光撮影（動画）＞
赤外蛍光撮影で眼底像を動画として撮影、記録する場合には、リングスリットとしては、蛍光用リングスリット１３が選択され、静止画撮影と同様に、照明光用フィルタとしては、赤外蛍光エキサイタフィルタ１８が、撮影用フィルタとしては、赤外蛍光バリアフィルタ４３が選択される。また、アライメント指標光源６０並びにフォーカス指標光源７０はいずれも赤外光ＬＥＤが点灯されて、赤外光の指標が投影される。そして、赤外ＣＣＤ３５を用いてアライメント指標、フォーカス指標像をモニタ４０上で観察しながらアライメント、フォーカス調整が行われる。この状態が図２で時点ｔ１１からｔ１２までの区間である。
【００４３】
時点ｔ１２でアライメント、フォーカス調整が完了すると、蛍光剤が静注され、赤外蛍光バリアフィルタ４３が挿入され、タイマー５１が計時を開始する。所定時間Ｔ２が経過すると、赤外蛍光エキサイタフィルタ１８を通過した励起光により眼底に赤外蛍光像が発生するので、撮影スイッチ５４が押され、動画記録が開始され、赤外ＣＣＤ３５からの眼底の赤外蛍光像が動画として記録装置５０に記録され、保存される。
【００４４】
ここで、時点ｔ１２で動画記録が開始されたとき、制御回路５２は、アライメント指標光源６０及びフォーカス指標光源７０の光量を変化（減少）させ、アライメント指標とフォーカス指標の明るさを暗くする。この状態が図２で時点１２で指標光源６０、７０が「明点灯」から「暗点灯」に変化することで示されている。また、図４ではこの状態が「赤外−」で図示されている。
【００４５】
このように、赤外蛍光光量が充分足りている前期では、アライメント指標とフォーカス指標が観察撮影画像に現れない程度の光量で投影され、この状態では指標像が実質には写らず、画質を損ねることはなく、指標像が診断に邪魔になるのを防止できる。これにより動画記録時にも、録画しないときには、通常の観察（アライメント）時と同じように、アライメント指標とフォーカス指標を明るくすることができ、動画記録時における眼底カメラの操作が便利になる。
【００４６】
赤外蛍光は後期の段階となると、光量が少なくなり、例えば時点ｔ１３になると、画面の明るさを一定に保つために、赤外ＣＣＤ３５の自動利得制御（ＡＧＣ）がオンとなり、そのゲインは図２に示したように、時間の経過とともに上昇する。この際、各指標光源６０、７０の光量は、制御回路５２により一定に保持されているので、一定の輝度（明るさ）になっている。しかし、赤外ＣＣＤ３５の感度が徐々に増幅するためにそれに合わせて、アライメント指標並びにフォーカス指標はモニタ４０の画面上に徐々に明るく写るようになる。従って、赤外蛍光光量に反比例して指標の画面上での輝度を上げることができ、赤外蛍光像が暗くなっても、アライメント並びにフォーカス調整を支障なく行うことができる。
【００４７】
図２の時点ｔ１４では、撮影スイッチ５４が操作され、動画記録が中断される。このとき、制御回路５２は、再びアライメント指標光源６０とフォーカス指標光源７０の光量を増大させ、各指標光源を「明点灯」させる。これにより、必要な場合には、観察時と同様に明るい指標でアライメントあるいはフォーカス調整を行うことができる。
【００４８】
時点ｔ１５で再び撮影スイッチ５４を操作すると、各指標光源６０、７０は「暗点灯」に切り替わり、光量が減少する。この場合の各指標光源の光量は、時点ｔ１２での光量と同じレベルであり、暗いアライメント指標とフォーカス指標が投影されるが、赤外ＣＣＤ３５の感度は、図２に示すように、赤外蛍光光量に反比例して増大しているので、各指標はモニタ４０の画面上では明瞭に写るようになり、赤外蛍光光量が不足する後期の段階でも、支障なくアライメント並びにフォーカス調整を行うことができる。
【００４９】
以上の実施例では、赤外ＣＣＤ３５の自動利得制御の機能を利用して画面上に写るアライメント指標とフォーカス指標の明るさを増すようにしているが、制御回路５２により、各指標光源の光量を増大させることによってその効果を更に高めることができる。この例が図３に図示されており、制御回路５２は、自動利得制御機能が有効になる時点ｔ１３から、投影されるアライメント指標とフォーカス指標が徐々に明るくなるように、各指標光源６０と７０の光量を制御する（時点ｔ１３からｔ１４；時点ｔ１５からｔ１６）。これにより、赤外蛍光の後期になるほど明るい指標が得られ、赤外蛍光の後期でのアライメント並びにフォーカス調整を容易にすることができる。
【００５０】
また、以上の実施例では、自動利得制御が機能する時点から録画中の指標光源の光量を増大させているが、赤外蛍光撮影開始からの時間をタイマ５１で計時し、赤外蛍光撮影が開始されてから所定の時間が経過した後は、録画中の各指標光源６０、７０の光量を時間の経過とともに変化（明るく）させるようにしてもよい。
【００５１】
このように、赤外蛍光撮影において、赤外蛍光光量がフォーカス、アライメント調整を行うのに充分な場合は、診断に不要なフォーカス指標、アライメント指標が記録用画像に実質写らないようにでき、また赤外蛍光光量がフォーカス、アライメント調整を行うのに不足してきたときには、フォーカス指標、アライメント指標がはっきり画像に写るようにすることにより、赤外蛍光光量が不足して暗くなってもフォーカス、アライメント調整を確実に行うことができる。
【００５２】
動画記録は赤外蛍光撮像中に前期と後期の全体に渡って行われるが、実質臨床診断上重要なのは前期の動画であり、その前期の画像には指標像が写るのを防止し、後期に入り指標がないとアライメントあるいはフォーカス調整が困難になると、指標が明るくなり、指標像を確認しながらアライメントあるいはフォーカス調整ができるようになり、赤外蛍光撮影の動画撮影並びに記録を安定して行うことが可能となる。
【図面の簡単な説明】
【００５３】
【図１】本発明の眼科撮影装置の構成を示す構成図である。
【図２】眼底の静止画撮影並びに動画撮影時の流れを示すタイミング図である。
【図３】眼底の静止画撮影並びに動画撮影時の他の流れを示すタイミング図である。
【図４】各撮影モードにおいて行われる動作を示した表図である。
【符号の説明】
【００５４】
１１  標準リングスリット
１２  小瞳孔用リングスリット
１３  蛍光リングスリット
１７  可視蛍光エキサイタフィルタ
１８  赤外蛍光エキサイタフィルタ
４２  可視蛍光バリアフィルタ
４３  赤外蛍光バリアフィルタ
５２  制御回路（制御手段）
５３  撮影モード設定手段
５４  撮影スイッチ
６０  アライメント指標光源
７０  フォーカス指標光源
【図１】
2006167068.tif 000003
【図２】
2006167068.tif 000004
【図３】
2006167068.tif 000005
【図４】
2006167068.tif 000006